(57)【要約】      （修正有）【課題】火炎燃焼の視覚効果を備える擬似炎装置で、無風化で不自然に揺れることを抑制し、雰囲気の空気の揺らぎに従って自然な炎の揺らぎを演出することができる擬似炎を提供する。【解決手段】炎装飾片２は筒状のケース１の上端の開口から上方が突出した状態で装着される。３は炎装飾片２を保持する支持体であり、ケース１の上部開口に懸架された支持芯１０を炎装飾片２の下部又は支持体３の上部の支持穴１１に通して揺動自在に支持される。また、炎装飾片２は重心が下方に偏っていて、自然状態では炎装飾片２は直立した状態で支持されるようになっており、必要に応じて支持体３の下部には錘７が設置される。炎装飾片２はケース１内上部に配置されたＬＥＤ等の任意の光源４により照らされるようになっている。【選択図】図１
0003192784.tif 000002
【実用新案登録請求の範囲】
【請求項１】
炎装飾片２を、雰囲気静止時は静止し、且つ、雰囲気の揺らぎに応じて揺動可能に設置し、この炎装飾片２を光源４により照射するようにしたことを特徴とする擬似炎装置。
【請求項２】
揺動可能に保持された支持体３の上端に炎装飾片２を配置すると共に支持体３の下方部に錘７を施したことを特徴とする請求項１に記載の擬似炎装置。
【請求項３】
下端が揺動可能に保持された支持体３の上端に炎装飾片２を配置したことを特徴とする請求項１に記載の擬似炎装置。
【請求項４】
揺動自在に保持された炎装飾片２の下方部に複数の腕３１、３１・・・を連出すると共に、この腕３１に錘７を装着したことを特徴とする請求項１又は２に記載の擬似炎装置。
【請求項５】
光源４による炎装飾片２の照射が、炎装飾片２の上下の複数箇所であることを特徴とする請求項１乃至４の何れかに記載の擬似炎装置。
【請求項６】
炎装飾片２が袋状である請求項１乃至５の何れかに記載の擬似炎装置。
【考案の詳細な説明】
【技術分野】
【０００１】
本考案はローソクその他の燃焼炎の擬似炎に関し、実際の炎燃焼の視覚効果を備え炎の自然な揺らぎを表現できる擬似炎装置に関する。
【背景技術】
【０００２】
現代社会では、ローソク、オイルランプなどの伝統的な照明具は、各種の電灯に取って代わられている。しかし、それが持つ伝統的な意義と独特の揺らぎを持つ視覚効果は、普通の現代照明具にはなかなか表現が難しいものである。
【０００３】
そのため、特殊な場面では、依然としてローソク、オイルランプなどの伝統的な照明具の使用が必要とされている。例えば、祖先の祭祀を行う際には、人々は線香、ローソクを用い、ローソクの揺れる炎に祖先を敬い懐かしむ心と子孫に対する尽きぬ思いを託す。また、特定の雰囲気を演出する必要がある場合にも、ローソク燃焼時の炎の揺らぎ効果は、人々の主観に訴えかけることができる。
【０００４】
しかし、ローソク、オイルランプなどは、燃焼する火炎を持ち、しかも火炎は不安定であるため、安全上不安がある。即ち、風に吹かれ、或いは人が触れたりすることなどが原因で倒れると、周囲の物体に火が移り、火災になってしまう恐れがある。そのため、伝統的な照明効果を備える人工ローソクなどの代替照明具が開発されている。
【０００５】
従来の代替照明具は、ローソクのような外形の器具の頂部に炎形状の電球体を装着したものが知られている。ところが、この種の代替照明具は、形状は炎のような形状を模していても点灯後には安定した光源を形成するため、ローソクの揺れうごめく火炎が醸し出す視覚効果は得られない。
【０００６】
これらの欠点を解消するものとして、揺動可能な炎装飾片を光源より照射することによりローソクなどの伝統的な燃焼照明器具に置換でき、リアルな火炎燃焼の視覚効果を出すものとして、揺動を磁性変化に拠り行うもの、送風により行うものが既に提案されている。
【０００７】
しかし何れも炎装飾片を強制的に駆動するものであるため、揺れを不規則に制御するようにして、自然状態に近付ける工夫がなされてはいるが、風もないのに炎が揺れる不自然さはどうしても否めない欠点があった。また炎装飾片を揺らすための駆動源を有するため、静寂な環境の中で微かながらも駆動源が発する振動音が状況によっては耳障りになる場合も少なくない上に、駆動部のための電源が必要で、構造上、複雑になるうえに、電力消費もそれ相応に対処する必要があって、コストを押し上げることにも繋がっていた。
【特許文献１】特表２０１２−５０４３１０号公報
【特許文献１】米国特許公開２０１３-００５０９８５号公報
【考案の開示】
【考案が解決しようとする課題】
【０００８】
本考案が解決しようとする主たる課題は、設置された雰囲気が無風の場合は揺れず、空気が揺らぐときのみに揺れ、しかも空気の動きの僅かな強弱にも炎の揺らぎに反映できると共に、静寂雰囲気でも微かな異音を発生させることのなく、聴覚の点でも自然な擬似炎を提供することである。
【課題を解決するための手段】
【０００９】
本考案は、松明、ローソク等、炎を有する燃焼物全般が対象であるが、その中でローソクを例にして説明する。筒状、或いは箱状のケース１の上端より炎装飾片２が上方に突出するように設置されるもので、炎装飾片２は、無風時は静止し、設置雰囲気の空気に動きがあればそれに応じて揺動可能に設置されている。
【考案の効果】
【００１０】
本考案はこのように雰囲気の空気の流れに応じて大きく揺動したり、小さくなったり、或いは静止したりと、その場の空気の動きに対応した状態の揺動乃至静止状態を炎装飾片２に与えることができ、従来の強制揺動によるものに比して、より一層本物の炎に近い状態を達成することができる。
【００１１】
また、駆動源が不要であるので、静止時は無音となり、耳障りな駆動音が生じる欠点も解消でき、更に、駆動源が不要であるので、コストも抑えることができるものである。
【００１２】
請求項２の考案では下端が固定された支持体３の上端に炎装飾片２を設置したもので、支持体３の炎装飾片２を含めた上方部が雰囲気の揺らぎに応じて揺れるものであり、請求項３の考案では、支持体３の情報部を枢支することにより、支持体３の下方部が雰囲気の揺らぎに応じて揺らぐことにより、炎装飾片２も揺動するものである。請求項４の考案では、炎装飾片２の下方部より連出された複数の腕３１、３１・・・に錘７を装着したことにより、炎装飾片２の揺動を誇張すると共に持続させることができ、請求項５のように光源４を上下の複数個所にしておくと、炎装飾片２のサイズが上下に大きい場合に対応できるものであり、請求項６のように炎装飾片２を袋状にしておくと、炎装飾片２をいずれの方向から見ても均等になり、より一層自然の炎に近似するようになる。
【図面の簡単な説明】
【００１３】
【図１】本考案の第１実施例の概略図である。
【図２】本考案の第２実施例の概略図である。
【図３】本考案の第３実施例の概略図である。
【図４】本考案の第４実施例の概略図である。
【図５】同上の要部の斜視図である。
【図６】同上の腕を２対にした場合の要部の斜視図である。
【図７】同上の炎装飾片の下部を垂直な支持体の上端に揺動自在に保持させた変形例のケースを一部切除した要部斜視図である。
【図８】同上の多光源の実施例の概略図である。
【図９】同上の多光源の変形例の概略図である。
【図１０】同上の炎装飾片を袋状にした例の一部破断概略斜視図である。
【考案を実施するための形態】
【００１４】
以下に図面を参照しながら本考案を実施するための最良の形態について詳細に説明する。図１に示すように、炎装飾片２は筒状のケース１の上端の開口から上方が突出した状態で装着される。３は炎装飾片２を保持する支持体であり、ケース１の上部開口に懸架された支持芯１０を炎装飾片２の下部又は支持体３の上部の支持穴１１に通して揺動自在に支持される。また、炎装飾片２は重心が下方に偏っていて、自然状態では炎装飾片２は直立した状態で支持されるようになっており、必要に応じて支持体３の下部には錘７が設置される。炎装飾片２はケース１内上部に配置されたＬＥＤ等の任意の光源４により照らされるようになっている。
【００１５】
図２は下端がケース１の底部に保持された支持体３の上端に炎装飾片２を装着したもので、炎装飾片２は棒状、筒状、細板状等の支持体３の可撓性により揺動可能に保持される。
【００１６】
図３は図１のように炎装飾片２の下方部又は支持体３の上方部を枢支した場合の変形例で、錘７を永久磁石とすると共に、その下方に適宜間隙を隔てて永久磁石による揺動ロック手段８を設けたもので、無風時は揺動ロック手段８が錘７を吸引して静止させるが、空気が動くと、その強さに応じて炎装飾片２が揺動することができる。尚、揺動ロック手段８は磁力によるものの他、図１のように支持体３の保持・開放を切り替えるものであれば、任意のものが適用できる。
【００１７】
また、ケース１の下方部には空気入り口５を設けると共に、上方部に空気出口６を設けて対流が生ずるようにしておくと、空気の僅かな上昇気流にも敏感に反応して炎装飾片２が揺動し易くなる。
【００１８】
図４、図５は上記１本の支持体３に代えて、一対の腕３１、３１を下方に連出したもので、腕３１の下方部には錘７、７が装着されている。
【００１９】
図６は腕３１を２対設置したものであるが、３対以上でも良く、また平面で均等に配置されれば、対以外の奇数個でもかまわない。図７は支持体３の上端に炎装飾片２の下端部を回動自在に保持させた例である。支持体３はケース１の底部より立てても良いし、図のように適所より水平に張り出したアームより立設してもかまわない。また光源４は配線基板１２を介して（充）電池、ＡＣ電源より制御・給電されるが、必要に応じてリモコン、タイマー、中間スイッチ、ＵＳＢ給電端子等を配設することができる。
【００２０】
図８は光源４を複数個設置して、大きい炎装飾片２の場合でも、上下の全体に亘り十分に明るく照らすことができるようにしたものである。尚、図８では角度を上下ずらせて複数の光源４、４・・・を近傍に設置している。図９（ａ）のように光源４，４・・・の位置をずらせて上下に平行な複数の光線で炎装飾片２の上下異なる位置を照射するようにしたものであり、図９（ｂ）はミラー９を介して反射光を炎装飾片２を照射するようにしたものである。ミラー９を使う場合も、図３以外に、図９（ｃ）のように光源４，４・・・をずらせることもできる。
【００２１】
炎装飾片２の素材としては、プラスチック素材や布、紙、金属等任意である。また、形状は図１０のように下方が開口した袋状乃至筒状にして、透明乃至半透明等の薄地の光透過性素材で構成しておくと、下方の光源４により炎装飾片２が内部から外方に炎装飾片２に向けて照射されることになって、照射の方向性がなくなり、何れの方向から炎装飾片２を眺めても均等に揺らいで見えて、より一層自然な状態を再現できる。この場合、炎装飾片２の下部は筒状の支持台に保持され、その支持台の両側の支持穴１１に支持芯１０を当接して揺動自在に保持し、下方の光源４は筒状の支持台を通して炎装飾片２を内部より照射できる。
【００２２】
本考案において、光源４、４・・・を点灯すると炎装飾片２が光源４に照射されるものであり、その際、雰囲気の空気が静止している時は、静止した炎装飾片２が照射され、人の出入りや風等で雰囲気に動きが生じると、その動きに呼応して照射中の炎装飾片２がその強弱に応じて揺動するものである。そして空気の動きが止まると、炎装飾片２は静止した状態で光源に照らされた状態となるもので、これにより、擬似炎は、設置場所の雰囲気に同期し、恰も炎が風で揺らぐような趣を醸し出すと共に、空気が静止したときは炎も静止することになり、炎の不自然さが解消できるものである。
【００２３】
尚、本考案装置はそれ自体単独で用いることもできるが、実際のローソクや松明、篝火等の発光素材の上方内部に埋設しても良い。
【００２４】
本考案では、光源以外に電源を要しないため、電池等の消耗が激変できる上に、駆動手段等も不要となり、コスト低減に繋がり、また、動力源を使わないので、モーターの回転音や磁力装置のチャタリング等も全くなく、静寂の中での僅かな違和感も発生させない利点がある。
【００２５】
尚、上記の本考案名称と内容は、本考案技術内容の説明に用いたのみで、本考案を限定するものではなく、等価応用或いは部品（構造）の転換、置換、数量の増減はすべて、本考案の保護範囲に含むものとする。
【産業上の利用可能性】
【００２６】
本考案は、ローソクや松明、篝火等、炎が上下に長い擬似炎を恰も実際の大きな炎が燃えているが如く揺らぐ照明を実現したもので、殊に、無風時でも炎が揺動する不自然さを解消したもので、屋内外での照明や庭園での光装飾等、新規性を備え、従来の同類製品に比べ十分な進歩を有し、実用性が高く、社会のニーズに合致しており、産業上の利用価値は非常に大きい。
【符号の説明】
【００２７】
１はケース、２は炎装飾片、３は支持体、４は光源、７は錘、３１は腕である。
【図１】
0003192784.tif 000003
【図２】
0003192784.tif 000004
【図３】
0003192784.tif 000005
【図４】
0003192784.tif 000006
【図５】
0003192784.tif 000007
【図６】
0003192784.tif 000008
【図７】
0003192784.tif 000009
【図８】
0003192784.tif 000010
【図９】
0003192784.tif 000011
【図１０】
0003192784.tif 000012
【手続補正書】
【提出日】平成26年6月26日(2014.6.26)
【手続補正１】
【補正対象書類名】実用新案登録請求の範囲
【補正対象項目名】全文
【補正方法】変更
【補正の内容】
【実用新案登録請求の範囲】
【請求項１】
炎装飾片（２）を、ケース（１）の上端の開口から上方が突出した状態で、しかも雰囲気の揺らぎに応じて揺動自在に設置し、この炎装飾片（２）を光源（４）により照射するようにして成ることを特徴とする擬似炎装置。
【請求項２】
揺動可能に保持された支持体（３）の上端に炎装飾片（２）を配置すると共に支持体（３）の下方部に錘（７）を施したことを特徴とする請求項１に記載の擬似炎装置。
【請求項３】
下端が揺動可能に保持された支持体（３）の上端に炎装飾片（２）を配置したことを特徴とする請求項１に記載の擬似炎装置。
【請求項４】
揺動自在に保持された炎装飾片（２）の下方部に複数の腕（３１）、（３１）・・・を連出すると共に、この腕（３１）に錘（７）を装着したことを特徴とする請求項１又は２に記載の擬似炎装置。
【請求項５】
光源（４）による炎装飾片（２）の照射が、炎装飾片（２）の上下の複数箇所であることを特徴とする請求項１乃至４の何れかに記載の擬似炎装置。
【請求項６】
炎装飾片（２）が袋状である請求項１乃至５の何れかに記載の擬似炎装置。